(57)【要約】【課題】食事中、あるいは料理中に箸をちょいと傍らの食器やボール、鍋の中に置いて、手を放したとき、ころっと箸がテーブルや調理台に落ちるのを防ぎたい。【解決手段】箸の上部三分の一の芯をくり抜くか、プラスチック成型して、空洞化し、箸の重心を下に移動させる。【選択図】図５
2014223272.tif 000002
【特許請求の範囲】
【請求項１】
家庭の食事や料理に使う普通の長さの箸や料理に使う長い菜箸の上部の３分の１を中の芯をくりぬいて空洞にし、てっぺんの穴を同じ材質あるいはより軽い材質で蓋をし、箸の上部を軽くし、箸を鍋、食器、ボールなどにちょいと置いたとき、箸がテーブルや調理台にころっと落ちないように、箸の重心を従来よりかなり下にずらした重心低下安定箸。
【請求項２】
食事に使う普通の長さの箸の上部３分の１の中を空洞にし、上部に蓋を付けないようにプラスチック成型し、箸の重心を従来よりかなり下に低下させて、箸を皿などの食器の端に置いたとき、ころっと落ちないようにしたプラスチック製重心低下安定箸。
【請求項３】
食事に使う普通の長さの箸の上部３分の１を空洞になるようプラスチック成型し、てっぺんの穴に同じ材質で蓋をしたプラスチック箸。
【発明の詳細な説明】
【技術分野】
【０００１】  料理用の長い菜箸や普通の箸の重心を低下させ安定させる。
【発明の概要】
【０００２】  料理をしているとき、菜箸を使い終わって、鍋や器、ボールなどに箸を入れて、手を放すようなことがある。この時、菜箸が長いため、重心が上に重くなってしまい、鍋や器、ボールから外へ落ちてしまうことがしばしばある。これはけっこう大きな動きで落ちるので、かなり不快である。そこでこのような時、押え箸が落ちないよう、上を軽くして、重心が下にいくようにすればよいと考えた。また、普通の箸でも、上部から下部にかけてだんだん細くなっているため、上が重く下が軽いので食事中ちょいと皿などに置いたとき皿などからころっと落ちることがしばしばあるので、このようなことも併せて解決できる。
【発明が解決しようとする課題】
【０００３】箸の重心を従来より下に低下させたい。
【課題を解決するための手段】
【０００４】  箸の上部３分の一の芯をくり抜いて、空洞化する。これによって箸の上部が軽くなり重心がかなり下に移動する。
【発明の効果】
【０００５】箸の重心が下に移動することにより、食事中や料理中に箸をちょいと傍らの食器やボール、鍋の中に置いて手を放したとき、ころっと落ちるのを防げる。
【図面の簡単な説明】
【０００６】
【図１】  菜箸の上部の芯をくり抜いた重心低下安定箸の正面図である。
【図２】  同上部断面図である。
【図３】  食事用の普通の箸の上部を空洞化し蓋なしのプラスチック成型の重心低下安定箸の正面図である。
【図４】  同上部断面図である。
【図５】  普通の箸の上部を空洞化し、てっぺんの空間に蓋をしたプラスチック成型の重心低下安定箸の正面図である。
【図６】  同上部断面図である。
【図１】
2014223272.tif 000003
【図２】
2014223272.tif 000004
【図３】
2014223272.tif 000005
【図４】
2014223272.tif 000006
【図５】
2014223272.tif 000007
【図６】
2014223272.tif 000008
【手続補正書】
【提出日】平成25年10月15日(2013.10.15)
【手続補正１】
【補正対象書類名】明細書
【補正対象項目名】０００６
【補正方法】変更
【補正の内容】
【０００６】
【図１】  菜箸の上部の芯をくり抜いた重心低下安定箸の正面図である。
【図２】  同上部側面図である。
【図３】  食事用の普通の箸の上部を空洞化した蓋なしのプラスチック成型の重心低下安定箸の正面図である。
【図４】  同上部側面図である。
【図５】  普通の箸の上部を空洞化し、てっぺんの空間に蓋をしたプラスチック成型の重心低下安定箸の正面図である。
【図６】  同上部側面図である。
【手続補正２】
【補正対象書類名】図面
【補正対象項目名】図４
【補正方法】変更
【補正の内容】
【図４】
2014223272.tif 000009
【手続補正３】
【補正対象書類名】図面
【補正対象項目名】図６
【補正方法】変更
【補正の内容】
【図６】
2014223272.tif 000010
【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
料理用の菜箸上部先端から下に全長の３分の１までの芯をくり抜き空洞にし、空洞の上部先端に軽い材質の蓋を接着剤で付ける。結果、菜箸全体の重心がかなり下に下がり、料理中に菜箸を鍋、食器などにちょいと置いたとき，ころっと下に落ちないようにした重心低下安定菜箸。
【請求項２】
プラスチック成型の食事用の普通の箸の上部先端から下に全長の５分の２までを空洞になるよう成形し、大量生産できるよう上部先端は開放状態の蓋なしにする。結果、箸の重心が下がる重心低下安定箸。
【請求項３】
プラスチック成型の普通の食事用箸の上部先端から下に全長の５分の２までを空洞にし、空洞の上部先端に全体と同じ材質で蓋を接着剤でつける。結果、箸の重心が下がる重心低下安定箸。
【手続補正２】
【補正対象書類名】明細書
【補正対象項目名】全文
【補正方法】変更
【補正の内容】
【発明の詳細な説明】
【技術分野】
【０００１】  料理用の長い菜箸や普通の箸の重心を低下させ安定させる。
【発明の概要】
【０００２】  料理をしているとき、菜箸を使い終わって、鍋や器、ボールなどに箸を入れて、手を放すようなことがある。この時、菜箸が長いため、重心が上に重くなってしまい、鍋や器、ボールから外へ落ちてしまうことがしばしばある。これはけっこう大きな動きで落ちるので、かなり不快である。そこでこのような時、菜箸が落ちないよう、上を軽くして、重心が下にいくようにすればよいと考えた。また、普通の箸でも、上部から下部にかけてだんだん細くなっているため、上が重く下が軽いので食事中ちょいと皿などに置いたとき皿などからころっと落ちることがしばしばあるので、このようなことも併せて解決できる。
【発明が解決しようとする課題】
【０００３】箸の重心を従来より下に低下させたい。
【課題を解決するための手段】
【０００４】箸の上部３分の一の芯をくり抜くか、プラスチック成型により、空洞化する。これによって箸の上部が軽くなり重心がかなり下に移動する。
【発明の効果】
【０００５】箸の重心が下に移動することにより、食事中や料理中に箸をちょいと傍らの食器やボール、鍋の中に置いて手を放したとき、ころっと落ちるのを防げる。
【図面の簡単な説明】
【０００６】
【図１】重心低下安定菜箸の正面図である。
【図２】同側面図である。
【図３】普通の食事用箸の上部２．５分の１をプラスチック成型で空洞化し、上部先端を蓋なしの開放状態にした重心低下安定箸の正面図である。
【図４】同側面図である。
【図５】食事用箸の上部２．５分の一をプラスチック成型で空洞化し、上部先端に本体と同じ材質の蓋を接着剤で付けた正面図である。
【図６】同側面図である。
【手続補正３】
【補正対象書類名】図面
【補正対象項目名】全図
【補正方法】変更
【補正の内容】
【図１】
2014223272.tif 000011
【図２】
2014223272.tif 000012
【図３】
2014223272.tif 000013
【図４】
2014223272.tif 000014
【図５】
2014223272.tif 000015
【図６】
2014223272.tif 000016